(57)【要約】【課題】使い勝手のよい補聴機能付聴診器の提供。【解決手段】補聴機能付聴診器１００が、受音具１と、聴診音もしくは外界音を検出して電気信号に変換するマイクロフォン１３と、マイクロフォン１３から出力された電気信号のうち、聴診音に対応する周波数範囲の信号と外界音に対応する周波数範囲の信号とを選択的に増強する信号処理部７０と、信号処理部７０から出力される電気信号を音に変換するスピーカ８０とを有する。信号処理部７０が、聴診音および外界音のうちいずれかに対応する周波数範囲の信号を選択するイコライザ６０と、イコライザ６０により選択された周波数範囲の信号を増幅するマイコン増幅器７とから構成される。ベル側音導孔１４を閉塞もしくは開放することにより、イコライザ６０において選択される外界音に対応する周波数範囲の信号と聴診音に対応する周波数範囲の信号との切り替えが行われる。【選択図】図４
2008049111.tif 000002
【特許請求の範囲】
【請求項１】
受音具と、
前記受音具に設けられ聴診音もしくは外界音を検出して電気信号に変換するマイクロフォンと、
前記マイクロフォンから出力された電気信号のうち、聴診音に対応する周波数範囲の信号と外界音に対応する周波数範囲の信号とを選択的に増強する信号処理部と、
前記信号処理部から出力される電気信号を音に変換する音変換手段とを有して構成されたことを特徴とする補聴機能付聴診器。
【請求項２】
前記信号処理部が、聴診音および外界音のうちいずれかに対応する周波数範囲の信号を選択し、選択された周波数範囲以外の信号を減衰させるイコライザと、
前記イコライザにより選択された周波数範囲の信号を増幅して前記音変換手段に出力する増幅器とから構成されたことを特徴とする請求項１に記載の補聴機能付聴診器。
【請求項３】
前記受音具が、略円筒状に形成されて内部空間に前記マイクロフォンが設けられ、
一方の端面が聴診音を検出する聴診音検出面を構成し、他方の端面が外界音を検出する外界音検出面を構成することを特徴とする請求項１もしくは２に記載の補聴機能付聴診器。
【請求項４】
前記内部空間と前記外界音検出面側の外部とを連通する音導孔が形成され、
前記音導孔を閉塞もしくは開放することにより、前記イコライザにおいて選択される外界音に対応する周波数範囲の信号と聴診音に対応する周波数範囲の信号との切り替えが行われることを特徴とする請求項２もしくは３に記載の補聴機能付聴診器。
【請求項５】
前記信号処理部から出力される電気信号が外部出力端子を介して外部に出力可能であることを特徴とする請求項１から４のいずれかに記載の補聴機能付聴診器。
【発明の詳細な説明】
【技術分野】
【０００１】
本発明は、難聴者が装用する補聴機能付聴診器に関する。
【背景技術】
【０００２】
従来の補聴機能付聴診器は、聴診音を検出可能な聴診用コンデンサマイクロフォンおよび外界音を検出可能な外界音用コンデンサマイクロフォンの２個を設置し、こららのうちいずれのマイクロフォンを使用するのかを切替スイッチの操作により選択できる構成となっていた。このような聴診器では、切替スイッチの操作により選択されたコンデンサマイクロフォンから伝達された電気信号が、それぞれのマイクロフォンに対応して具えられた増幅器を経て増幅され、イヤフォーンを用いて装用者が音を聴くことができる（例えば、特許文献１参照）。
【０００３】
【特許文献１】特許第３１３１１５４号
【発明の開示】
【発明が解決しようとする課題】
【０００４】
しかしながら、上記のような聴診器は、使用するマイクロフォンを替える度に切替スイッチの切り替え操作を行わなければらないため、装用者にとって扱いにくかった。特に装用者が難聴の場合、装用者は聴診音用および外界音用のコンデンサーマイクロフォンの切り替えを頻繁に行わなければならないため切替操作が煩わしかった。その上、このような切替操作を行うと装用者が補聴器を使用していることを患者に悟られるため、装用者にとって不都合なことであった。
【０００５】
以上のような課題に鑑みて、本発明は、使用するマイクロフォンの切替操作が不要な補聴機能付聴診器を提供することを目的とする。
【課題を解決するための手段】
【０００６】
前記課題を解決するために本発明に係る補聴機能付聴診器は、受音具と、受音具に設けられ聴診音もしくは外界音を検出して電気信号に変換するマイクロフォンと、マイクロフォンから出力された電気信号のうち、聴診音に対応する周波数範囲の信号と外界音に対応する周波数範囲の信号とを選択的に増強する信号処理部と、信号処理部から出力される電気信号を音に変換する音変換手段（例えば、実施形態におけるスピーカ８０）とを有する。
【０００７】
また、上記構成の補聴機能付聴診器において、信号処理部が、聴診音および外界音のうちいずれかに対応する周波数範囲の信号を選択し、選択された周波数範囲以外の信号を減衰させるイコライザと、イコライザにより選択された周波数範囲の信号を増幅して音変換手段に出力する増幅器（例えば、実施形態におけるマイコン増幅器７）とから構成されるのが好ましい。
【０００８】
さらに、上記構成の補聴機能付聴診器において、受音具が、略円筒状に形成されて内部空間にマイクロフォンが設けられ、一方の端面が聴診音を検出する聴診音検出面（例えば、実施形態におけるダイヤフラム面２）を構成し、他方の端面が外界音を検出する外界音検出面（例えば、実施形態におけるオープンベル面３）を構成するのが好ましい。
【０００９】
さらに、上記構成の補聴機能付聴診器において、内部空間と外界音検出面の外部とを連通する音導孔（例えば、実施形態におけるベル側音導孔１４）が形成され、音導孔を閉塞もしくは開放することにより、イコライザにおいて選択される外界音に対応する周波数範囲の信号と聴診音に対応する周波数範囲の信号との切り替えが行われる。
【００１０】
また、上記構成の補聴機能付聴診器において、信号処理部から出力される電気信号が外部出力端子を介して外部に出力可能であるのが好ましい。
【発明の効果】
【００１１】
本発明に関する補聴機能付聴診器によれば、聴診音もしくは外界音を検出するマイクロフォンが用いられるため、従来は複数設けられていたマイクロフォンが１個で済み、受音具の構造を簡単にすることができ、コスト低減にも繋がる。また、このような１個のマイクロフォンが設けられた受音具は、聴診音検出面および外界音検出面を有しているため、聴診器として使用して患者の臓器の音を聴くことも可能であり、補聴器として使用して外界の音を聴くことも可能である。
【００１２】
さらに、補聴器としての使用と聴診器としての使用との切り替えは、受音具の内部空間と外界音検出面側の外部とを連通する音導孔を閉塞もしくは開放すればよく、従来とは異なりスイッチの煩わしい切替操作は不要であるため操作性が改善され、装用者にとって扱い易いものとなり診察効率が上がる。また、補聴器として使用する場合には、患者の口元により近付けることができるので患者の声をより大きく拾うことができ、周囲の雑音による影響を抑えることができる。装用者が音導孔を閉塞したり開放したりするだけで自然に補聴機能と聴診機能との切り替えができるため、装用者が難聴であっても患者に悟られることなく違和感なく使用できる。
【発明を実施するための最良の形態】
【００１３】
以下、本発明に係る聴診器の好ましい実施形態について図１乃至図４を参照しながら説明する。
【００１４】
図１から図３に本発明に係る聴診器１００の全体図を示す。この聴診器１００は、患者へ当てる受音具１（チェストピース）と、塩化ビニール製のチューブ４と、電池ケース１１と、シリコンゴム等のゴム製のY字形チューブ１０と、真鍮やステンレス鋼等の金属製の一対の耳管９と、患者を診察する医師の耳に挿入するシリコンゴム等を材質とする一対のイヤピース８とを有して構成される。チューブ４は可撓性を有し、その一端が受音具１の側に接続され、その他端が電池ケース１１の一端側に接続されている。また、Y字形チューブ１０は、その一端側が電池ケース１１の他端側に接続され、分岐した他端側は一対の耳管９の一端側にそれぞれ繋げられている。そして、イヤピース８が、それぞれ耳管９の他端側に着脱可能に装着されている。
【００１５】
受音具１は、左右対称的の形状をなし、一方の側に形成されたダイヤフラム面２および他方の側に形成されたオープンベル面３を有する、いわゆるダブルタイプの受音具である。受音具１は、ダイヤフラム面２が設けられたフランジ部２１を有する円筒状部材２０と、開いた凹面の形状からなるオープンベル面３を有するベル側部材３０と、円筒状部材２０の側面に装着されるステム４０を有して構成される。
【００１６】
円筒状部材２０の内周面の一部には、ベル側部材３０のネジ部３１に形成された雄ネジと螺合する雌ネジが形成されており、ベル側部材３０は円筒状部材２０に対して着脱自在になっている。ベル側部材３０が円筒状部材２０に取り付けられると、円筒状部材２０とベル側部材３０のネジ部３１の先端面とに囲まれた内部空間４５が形成される。
【００１７】
平面視円形状のベル側部材３０のオープンベル面３の周辺部には、ゴム製のベルカバー１５がオープンベル面３を取り囲むように装着されている。また、ベル側部材３０には、そのオープンベル面３の中央部からネジ部３１先端に貫通する断面円形状のベル側音導孔１４が形成されており、このベル側音導孔１４を介してオープンベル面３側の外部と内部空間４５とが連通する。このため、オープンベル面３で受けて集音された外部の音をベル側音導孔１４を通して内部空間４５に導くことが可能である。
【００１８】
ダイヤフラム面２を形成するダイヤフラムは、フランジ部２１の下部に張られて装着される円形状の薄膜であり、ダイヤフラム面２が患者の皮膚に当接すると患者の臓器が発する音によりダイヤフラムが振動する。このダイヤフラムは、ガラスエポキシ等を材質とする。円筒状部材２０には、そのフランジ部２１の端面からベル側部材３０が装着されて形成された内部空間４５に向けて、ベル側音導孔１４に対向するようにして貫通される断面円形状の膜面側音導孔１６が形成されている。これにより、ダイヤフラム面２の振動による音を膜面側音導孔１６を通して内部空間４５に導くことが可能である。
【００１９】
円筒状部材２０の側面には、内周側（内部空間４５側）に向けて貫通し、シールド線１７（電線）を装入可能な電線装入孔２２が形成されている。電線装入孔２２における円筒状部材２０の外周側から内周側に向けて途中まで雌ネジが形成されている。ステム４０は、その先端に形成された雄ネジがこの雌ネジと螺合することで、円筒状部材２０の側面に取り付けられる。また、ステム４０の基端側には、塩化ビニール製のチューブ４の一端が装着される。
【００２０】
ステム４０の内部には、ステム４０の長手軸方向に貫通して延びる電線装入孔４１が形成されており、ステム４０が円筒状部材２０の側面に取り付けられると電線装入孔２２および電線装入孔４１が連通し、外部から電線装入孔４１および電線装入孔２２を通して内部空間４５内にシールド線１７の一端を装入することが可能である。シールド線１７の他端は、チューブ４内を電池ケース１１の側に延びている。内部空間４５内のシールド線１７の一端にはマイクロフォン１３が取り付けられており、ベル側音導孔１４や膜側音導孔１６を介して内部空間４５内に伝達された音を、マイクロフォン１３で電気信号に変換して電池ケース１１の側に伝達させることが可能である。なお、ステム４０の電線装入孔４１の基端側開口には、ゴムパッキング１８が取り付けられており、電線装入孔４１は外部に対して塞がれている。これにより、外部の雑音がマイクロフォン１３の側に侵入しないようになっている。
【００２１】
電池ケース１１の外周には、ＯＮ・ＯＦＦ操作する電源スイッチ５、音量調節用のボリューム６、外部出力端子１２が設けられている。電池ケース１１の内部には、乾電池５０が装着されている。また、電池ケース１１の内部には、チューブ４内を通されて一端が内部空間４５のマイクロフォン１３に繋がるシールド線１７に接続された、信号処理部７０が設けられている。信号処理部７０は、イコライザ６０およびマイコン増幅器７を有して構成されている。信号処理部７０は、電源スイッチ５をＯＮ操作して乾電池５０から電力供給線５１を介して電力が供給されることにより作動する。信号処理部７０は信号ライン５２を介して外部出力端子１２に繋がっており、外部出力端子１２にイヤフォーンジャックを差し込むことで、信号処理部７０から出力される電気信号が外部出力端子１２を介して外部に出力され、聴診器１００の装用者以外の者も受音具１で検出された音を聴くことが可能である。
【００２２】
イコライザ６０は、マイクロフォン１３からの電気信号のうち、心音に対応する周波数範囲の信号と呼吸音に対応する周波数範囲の信号とを選択的に増強し、他の周波数範囲の信号を選択的に減衰させて、マイコン増幅器７に信号を出力する。マイコン増幅器７は音量可変用の増幅器であり、イコライザ６０の出力信号を増幅する。マイコン増幅器７はY字形チューブ１０や耳管９内を通されるシールド線１８を介してイヤピース８内に設けられたスピーカ８０に繋げられている。マイコン増幅器７が作動すると、イコライザ６０によって選択された特定の周波数帯域の電気信号がマイコン増幅器７により増幅された後、スピーカ８０に向けて伝達される。スピーカ８０でマイコン増幅器７の出力信号が音に変換されて、スピーカ８０から音が発せられる。なお、音量調節用のボリューム６を操作することで、マイコン増幅器７で増幅される電気信号の増幅度を調節することが可能であり、このような操作によりスピーカ８０から発せられる音量を任意に調節することができる。
【００２３】
イコライザ６０の周波数特性は、心音及び呼吸音に対応する周波数範囲（聴診器として使用する場合）の信号と補聴器として使用する場合に対応する周波数範囲の信号とを選択的に増強し、他の周波数範囲の信号を選択的に減衰させる。心音および呼吸音は、３００Ｈｚ〜３０００Ｈｚの範囲の周波数成分が主である。補聴器として使用する場合は、４０〜７００Ｈｚの範囲の周波数成分が主である。これらの２つの成分を聴診器として使用する場合および補聴器として使用する場合に応じて選択的に増強し、その他の成分を減衰させるようにイコライザ６０の周波数特性を設定する。
【００２４】
聴診器および補聴器としての切り替えは、以下のようにしてなされる。まず、装用者が聴診器として使用する場合には、装用者がベル側部材３０のオープンベル面３のベル側音導孔１４を指で塞ぐ。このときの雑音は内部空間４５のマイクロフォン１３により拾われ、電気信号としてイコライザ６０に向けて伝送される。これを受信したイコライザ６０は、３００Ｈｚ〜３０００Ｈｚの範囲の周波数成分を選択的に増強し、その他の成分を減衰させるように設定する。装用者が受音具１のダイヤフラム面２に患者に当てると、患者の臓器の音がマイクロフォン１３により拾われ、イコライザ６０によって選択された周波数の音がマイコン増幅器７によって増幅されてスピーカ８０の側に伝えられる。
【００２５】
装用者が聴診器として使用する場合には、装用者はベル側部材３０のオープンベル面３のベル側音導孔１４を開放する。このため、指でベル側音導孔１４を塞ぐことにより発生する雑音は、イコライザ６０の側に伝えられず、イコライザ６０は４０〜７００Ｈｚの範囲の周波数成分を選択的に増強し、その他の成分を減衰させるように周波数特性を設定する。これにより、患者の発した声がオープンベル面３により集音されてマイクロフォン１３により拾われ、イコライザ６０によって選択された周波数の音がマイコン増幅器７によって増幅されてスピーカ８０の側に伝えられる。なお、このような４０〜７００Ｈｚの範囲の周波数成分の選択的な増強は、装用者がベル側音導孔１４を開放してから２〜３秒位でなされるように、予め信号処理部７０に設定されている。
【産業上の利用可能性】
【００２６】
本発明に係る補聴機能付聴診器は、従来の聴診器に補聴機能を持たせた聴診器として有用である。
【図面の簡単な説明】
【００２７】
【図１】本発明に係る補聴機能付聴診器の外観図である。
【図２】本発明に係る補聴機能付聴診器の外観図である。
【図３】本発明に係る補聴機能付聴診器の外観図である。
【図４】上記聴診器を構成する受音具（チェストピース）の要部断面図である。
【図５】上記聴診器の電気的な構造を示すブロック図である。
【符号の説明】
【００２８】
１    受音具（チェストピース）
２    ダイヤフラム面（聴診音検出面）
３    オープンベル面（外界音検出面）
４    チューブ
５    電源スイッチ
６    音量調節用ボリューム
７    マイコン増幅器（増幅器）
８    イヤピース
９    耳管
１０    Yチューブ
１１    電池ケース
１２    外部出力端子
１３    マイクロフォン
１４    ベル側音導孔（音導孔）
１５    ベルカバー
１６    膜面側音導孔
１７    シールド線
１８    ゴムパッキング
２０    円筒状部材
３０    ベル側部材
４０    ステム
４５    内部空間
５０    乾電池
６０    イコライザ
７０    信号処理部
８０    スピーカ（音変換手段）
１００    補聴機能付聴診器
【図１】
2008049111.tif 000003
【図２】
2008049111.tif 000004
【図３】
2008049111.tif 000005
【図４】
2008049111.tif 000006
【図５】
2008049111.tif 000007